(57)【要約】      （修正有）【課題】カメラの繰返しの鏡筒動作においても、ストロボポップアップメカの位置決めを適切に行う。【解決手段】撮影レンズ鏡筒６を動作させるドライブリング部材３上に具備されるカム溝３ａ及びカム溝３ｂに対応してスライドレバー部材１に具備されるカムフォロワ部材１ａ及びカムフォロワ部材１ｂがあり、最初はカム溝３ａとカムフォロワ部材１ａが当接しており、カム溝３ａ及びカムフォロワ部材１ａが繰返し動作により磨耗した場合、次にカム溝３ｂとカムフォロワ部材１ｂが当接することでスライドレバー部材１の極端な位置ずれを防止し、スライドレバー部材１のずれ量をストロボポップアップ機構のバネ吸収機構により吸収することでストロボポップアップメカを適切な位置に移動させる。【選択図】図６
2010175630.tif 000002
【特許請求の範囲】
【請求項１】
撮影装置本体に収納されたポップダウン位置と、該本体の上面から上方に突出したポップアップ位置との間で移動するストロボ発光部と、前記ストロボ発光部を駆動するスライドレバー手段と、前記スライドレバー手段を光軸方向に移動させるドライブリング手段と、前記スライドレバー手段に複数のカムフォロワ手段を設けると共に、前記ドライブリング手段に、前記カムフォロワ手段に対応する同軌跡の複数のカム溝手段を設け、前記カムフォロワ手段が前記カム溝手段に追従することによって前記スライドレバー手段が光軸前後方向に移動して、前記ストロボ発光部を駆動することを特徴とするストロボポップアップ機構であって、
前記複数のカムフォロワ手段のうちの第一カムフォロワ手段がこれに対応した第一カム溝手段に当接した後、前記第一カムフォロワ手段または前記第一カム溝手段が磨耗することで、残りのカムフォロワ手段及びカム溝手段である第二カムフォロワ手段と第二カム溝手段が順次当接することを特徴とするストロボポップアップ機構。
【請求項２】
前記ストロボ発光部の移動方向と直交方向になるように該ストロボ発光部の後方に設けた摺動軸と、
前記摺動軸を案内するようにストロボベース手段に設けたガイド溝と、
第一シャフト手段によって前記ストロボ発光部に軸支され、第二シャフト手段によって前記ストロボベース手段に軸支されたリンク手段と、
前記第一シャフト手段に取り付けられた第一バネ手段とを有し、
前記ストロボ発光部は、前記ガイド溝を摺動する前記摺動軸の摺動軌道に応じて前記本体の後方から前方へ移動するように構成し、
前記リンク手段の前記第二シャフト手段を中心に前記第一シャフト手段が旋回移動し、前記第一バネ手段の付勢力により、前記ストロボ発光部を前記ポップダウン位置から前記ポップアップ位置へ移動させる構成としたことを特徴とする請求項１に記載のストロボポップアップ機構。
【請求項３】
前記リンク手段と一体で回動するように前記第二シャフト手段に設けられ、前記リンク手段に当接して該リンク手段に対し所定角度を成す係止位置と該所定角度より開いた作動位置との間で作動可能なリンクレバー手段を有し、
前記スライドレバー手段によって前記リンクレバー手段を作動させることにより、前記第一バネ手段の付勢に抗して前記ストロボ発光部を前記ポップアップ位置から前記ポップダウン位置へ移動させ、前記リンクレバー手段の作動を解除させることにより、前記第一バネ手段の付勢によって前記ストロボ発光部を前記ポップダウン位置から前記ポップアップ位置へ移動させることを特徴とする請求項２に記載のストロボポップアップ機構。
【請求項４】
前記スライドレバー手段が光軸前後方向に移動することで、前記リンクレバー手段を作動させることを特徴とする請求項３に記載のストロボポップアップ機構。
【請求項５】
前記リンクレバー手段を前記係止位置の方向へ付勢させる第二バネ手段を有し、
前記第二バネ手段は、前記第一バネ手段より所定量強いバネ力に設定されたことを特徴とする請求項３または４に記載のストロボポップアップ機構。
【請求項６】
前記スライドレバー手段は、前記リンクレバー手段の作動を解除させて前記ストロボ発光部をポップアップ位置へ移動させるのに必要な移動量より所定量多く、光軸方向後方へ移動することを特徴とする請求項３乃至５のいずれか一項に記載のストロボポップアップ機構。
【請求項７】
前記スライドレバー手段は、前記リンクレバー手段が前記ストロボ発光部を前記ポップアップ位置から前記ポップダウン位置へ移動させるのに必要な移動量より所定量多く、光軸方向前方へ移動することを特徴とする請求項３乃至６のいずれか一項に記載のストロボポップアップ機構。
【請求項８】
請求項１乃至７のいずれか一項に記載されたストロボポップアップ機構を備えたことを特徴とする撮影装置。
【発明の詳細な説明】
【技術分野】
【０００１】
本発明は、ストロボ発光部のポップアップ／ポップダウン動作を行うストロボポップアップ機構、及び前記ストロボポップアップ機構を有するフィルムカメラやデジタルカメラ等の撮影装置に関するものである。
【背景技術】
【０００２】
従来より、デジタルカメラ等の撮影装置には、複数の光学レンズを光軸方向に移動させ撮影倍率を変更するズーム機構を有する撮影レンズ鏡筒を備えたものがある。例えば、特許文献１に記載される撮影レンズ鏡筒では、複数の光学レンズを保持する複数のレンズ保持部材をカムリングで光軸方向に移動させ、さらに回転規制部材によりレンズ保持部材の回転方向への移動を規制している。この構成により、光学レンズを指定の位置に移動させることができる。
【０００３】
近年、レンズ性能が向上し、よりワイドな画角が撮影できるズームレンズや、大口径レンズを用いてより明るい開放Ｆ値をもつレンズが小型カメラにも搭載されるようになった。その弊害として、カメラ本体内蔵型のストロボで、ストロボ照射光がレンズ先端に遮られて被写体に到達しない、所謂「ケラレ」の問題がクローズアップされるようになってきた。
【０００４】
撮影レンズ鏡筒の繰出し距離が伸びたり、直径が大きくなったりすると、カメラで被写体を撮影した時に、ストロボ発光が撮影レンズ鏡筒で遮られて撮影された写真の斜め下に影ができる。通常はこの影が撮影画面の外側で収まるようにストロボの位置を撮影レンズ鏡筒より離すようにするが、近年カメラの小型化に対する要望が大きく、全てのストロボのケラレを解消するとカメラが大型化してしまうためその対処が求められていた。
【０００５】
その１つの解決策として、撮影時にはストロボ発光部をカメラ本体から飛び出して撮影レンズ鏡筒から遠くに移動させ影が写り込まないようにする、所謂「ポップアップストロボ」が実用化されている。
【０００６】
このようなポップアップストロボの実用例としては、例えば特許文献２に示されているように、ファインダレンズの移動に連動するようにストロボの駆動レバーを移動させ、ストロボをポップアップさせている。
【０００７】
ストロボのポップアップの方式としては、ユーザーの判断によりユーザー自らが自分でストロボを操作してポップアップさせる手動式と、カメラが自動でストロボをポップアップさせるオートポップアップ方式の２種類ある。オートポップアップ方式を採った場合には、カメラの電源スイッチに連動してカメラより進退する撮影レンズ鏡筒の駆動力を使用する場合も知られている。
【先行技術文献】
【特許文献】
【０００８】
【特許文献１】特開２００１−３２４６６３号公報
【特許文献２】特開平７−１９９２９５号公報
【発明の概要】
【発明が解決しようとする課題】
【０００９】
しかしながら、撮影レンズ鏡筒の駆動力を使用して、ストロボを自動でポップアップさせる方式では、次のような問題点があった。
【００１０】
即ち、ズーム機構を有する撮影レンズ鏡筒において、光学レンズを光軸方向に移動させる回転駆動筒に、ストロボを連動するための１本のカム溝が形成されている。このカム溝にカムフォロワ部材を追従させて、ストロボの位置決めを行っている。
【００１１】
通常、撮影レンズ鏡筒が移動する度に回転駆動筒が回転し、それに伴って前記カム溝とカムフォロワ部材が接触しながら動作することになる。しかし、カメラを繰返し使用するとこの両者の接触する部分が磨耗により削れてしまい、連動の位置がずれる結果、ストロボの位置決めが正確に行われず、ストロボが適切にポップアップ動作しないという問題があった。
【００１２】
本発明は上記従来の問題点に鑑み、次のような、ストロボポップアップ機構及び撮影装置を提供することを目的とする。即ち、撮影装置を繰返し使用しても、ストロボのポップアップ／ポップダウン動作を行うためのカム溝とカムフォロワ部材の接触部分の磨耗を抑制することができ、また磨耗してもストロボの位置決めを適切に行うことができるようにする。
【課題を解決するための手段】
【００１３】
上記目的を達成するために、本発明のストロボポップアップ機構は、撮影装置本体に収納されたポップダウン位置と、該本体の上面から上方に突出したポップアップ位置との間で移動するストロボ発光部と、前記ストロボ発光部を駆動するスライドレバー手段と、前記スライドレバー手段を光軸方向に移動させるドライブリング手段と、前記スライドレバー手段に複数のカムフォロワ手段を設けると共に、前記ドライブリング手段に、前記カムフォロワ手段に対応する同軌跡の複数のカム溝手段を設け、前記カムフォロワ手段が前記カム溝手段に追従することによって前記スライドレバー手段が光軸前後方向に移動して、前記ストロボ発光部を駆動することを特徴とするストロボポップアップ機構であって、前記複数のカムフォロワ手段のうちの第一カムフォロワ手段がこれに対応した第一カム溝手段に当接した後、前記第一カムフォロワ手段または前記第一カム溝手段が磨耗することで、残りのカムフォロワ手段及びカム溝手段である第二カムフォロワ手段と第二カム溝手段が順次当接することを特徴とする。
【００１４】
また、本発明の撮影装置は、上記ストロボポップアップ機構を備えたことを特徴とする。
【発明の効果】
【００１５】
本発明によれば、撮影装置を繰返し使用しても、ストロボ発行部のポップアップ／ポップダウン動作を行うためのカム溝手段とカムフォロワ手段の接触部分の磨耗を抑制することができ、また磨耗してもストロボ発行部の位置決めを適切に行うことが可能になる。
【図面の簡単な説明】
【００１６】
【図１】実施の形態におけるストロボポップアップ機構の斜視図である。
【図２】図１に示したストロボポップアップ機構の構成を示す分解斜視図である。
【図３】図１に示したストロボポップアップ機構のポップアップ状態の断面図である。
【図４】図１に示したストロボポップアップ機構のポップダウン状態の断面図である。
【図５】撮影レンズ鏡筒の繰出し時の斜視図である。
【図６】撮影レンズ鏡筒の繰出し時の分解斜視図である。
【図７】スライドレバー部材とドライブリング部材の接触部の拡大図である。
【図８】デジタルカメラの電源オフ状態の斜視図である。
【図９】デジタルカメラの電源オン状態の斜視図である。
【図１０】デジタルカメラの要部の電気的な構成を示すブロック図である。
【図１１】デジタルカメラの電源オンから撮影終了までの処理を示すフローチャートである。
【発明を実施するための形態】
【００１７】
以下、本発明の実施の形態について、図面を参照しながら説明する。
【００１８】
＜本実施の形態におけるストロボ機構の構造＞
まず、本発明に係る撮影装置の一例であるデジタルカメラに備えられた撮影レンズ鏡筒に連動して動作するストロボ機構の構造について、図１〜図７を参照して説明する。
【００１９】
図１は、本発明の実施の形態におけるストロボポップアップ機構の斜視図であり、撮影レンズ鏡筒にストロボポップアップ機構が組み込まれた状態を示している。図２は、図１に示したストロボポップアップ機構の構成を示す分解斜視図である。また、図３は、本実施の形態におけるストロボポップアップ機構のポップアップ状態の断面図であり、図４は、ストロボポップアップ機構のポップダウン状態の断面図である。
【００２０】
本実施の形態におけるストロボポップアップ機構３００は、リンク部材１０をリンクレバー部材１３で動かすことによって、ストロボ発光部７がポップアップ／ポップダウン動作を行うようになっている。即ち、ストロボ発光部７は、撮影装置本体つまりカメラ本体１９に収納されたポップダウン位置と、カメラ本体１９の上面から上方に突出したポップアップ位置との間で移動する。図３に示すようにストロボ発光部７がポップアップ状態であるときに、スライドレバー部材１が前進すると、それに押されてリンクレバー部材１３とリンク部材１０が回転して、図４に示すようにストロボ発光部７をポップダウンする。そして、スライドレバー部材１が後退すると、再び図３に示すようにポップアップする仕組みである。
【００２１】
次に、図２を参照して、ストロボポップアップ機構３００全体の組立て構造を説明する。
【００２２】
まず、図２に示すストロボベース１２は、ストロボポップアップ機構３００の全体の基台部分である。ストロボベース１２の上部は、ストロボ発光部７を収納するための収納部となっており、その両側面には、摺動軸１１が摺動するためのガイド溝１２ａ、１２ｂが形成されている。
【００２３】
即ち、摺動軸１１は、ストロボ発光部７の移動方向と直交方向になるように、前記ストロボ発光部７の後方に設けられ、ガイド溝１２ａ、１２ｂは、摺動軸１１を案内するようにストロボベース部材１２に設けられている。
【００２４】
ストロボ発光部７の軸受７ａ、７ｂには、前述のリンク部材１０が第一バネ部材８と第一シャフト部材９と共に取り付けられている。つまり、リンク部材１０は、第一シャフト部材９によってストロボ発光部７に軸支されている。第一バネ部材８は、ストロボ発光部７をポップダウン位置からポップアップ位置へ移動するように付勢させるバネである。
【００２５】
また、リンク部材１０は、第二シャフト部材１７によってストロボベース部材１２に軸支されている。即ち、ストロボベース部材１２の軸受１２ｃ及び１２ｄには、リンク部材１０、リンクレバー部材１３、及び第二バネ部材１４が挿入され、これらが第二シャフト部材１７で回転自在に取り付けられている。
【００２６】
リンク部材１０と一体に回動するように第二シャフト部材１７に取り付けられたリンクレバー部材１３は、リンク部材１０に当接して該リンク部材１０に対し所定角度を成す係止位置と、該所定角度より開いた作動位置との間で作動可能である。
【００２７】
第二バネ部材１４は、第一バネ部材８より線径が太く且つ許容応力の強い材料から成り第一バネ部材８より所定量強いバネ力になるように設定され、リンクレバー部材１３を係止位置の方向へ付勢させるバネである。
【００２８】
ストロボ発光部７は、ガイド溝１２ａ、１２ｂを摺動する摺動軸１１の摺動軌道に応じてカメラ本体１９の後方から前方へ移動すると同時に、リンク部材１０の第二シャフト部材１７を中心に第一シャフト部材９が旋回移動する。
【００２９】
また、ストロボ回路基板１６がストロボベース１２に固定されている。このストロボ回路基板１６には、リード線１６ａが接続され、ストロボ発光部７の動作状態を検出するための検出スイッチ１６ｂが実装されている。また、ストロボベース１２の下部にはメインコンデンサ１５が配置されている。メインコンデンサ１５は、ストロボ発光に必要な電力を予め充電し、発光時に電力供給するものである。
【００３０】
図５は、上記ストロボポップアップ機構３００を搭載している撮影レンズ鏡筒６の繰出し時の斜視図であり、図６は、その分解斜視図である。
【００３１】
図５に示すように、上記のスライドレバー部材１は撮影レンズ鏡筒６に組み込まれた状態になっている。撮影レンズ鏡筒６は、ズームモータ駆動部５（図１０参照）によって駆動力を得て動作するが、ズームモータ駆動部５による駆動力がドライブリング部材３に伝達され、最終的に撮影レンズ鏡筒６内部のレンズ群を光軸方向へ進退動作させる。
【００３２】
ドライブリング部材３はその内周に配置されている固定筒部材４に沿って回転駆動し、ドライブリング部材３の外周には図６に示すように２本のカム溝３ａ、３ｂが形成されている。ドライブリング部材３の近傍にはスライドレバー部材１が配置され、スライドレバー部材１はガイド軸２によって軸支されている。
【００３３】
図６に示すように、スライドレバー部材１にはカム溝３ａ及び３ｂに挿入されるカムフォロワ部材１ａ、１ｂが一体で設けられている。ガイド軸２及びスライドレバー部材１は撮影レンズ鏡筒６全体を収納するカバー筒部材１８（図１参照）によって保持され、スライドレバー部材１はガイド軸２に対して回転できないように規制されている。ドライブリング部材３が回転することで、スライドレバー部材１はカム溝３ａ及び３ｂの軌跡にしたがって光軸方向に前後移動する。
【００３４】
このように、スライドレバー部材１には複数のカムフォロワ部材１ａ，１ｂが具備され、ドライブリング部材３には各カムフォロワ部材１ａ，１ｂにそれぞれ対応する同軌跡の複数のカム溝３ａ，３ｂが具備されている。そして、カムフォロワ部材１ａ，１ｂが前記カム溝３ａ，３ｂに追従することによってスライドレバー部材１が光軸前後方向に移動する。これを受けてリンクレバー部材１３が移動し、ストロボ発光部７がポップアップ／ポップダウン動作を行うのである。
【００３５】
＜本実施の形態におけるストロボ機構の動作＞
次に、本実施の形態におけるストロボ機構のポップアップ／ポップダウン動作について詳細に説明する。
【００３６】
図３に示すようにストロボ発光部７がポップアップ状態であるときに、撮影レンズ鏡筒６が繰り込み方向に移動すると、スライドレバー部材１が光軸方向に前進してリンクレバー部材１３を作動させる。これによって、第一バネ部材８の付勢力に抗してストロボ発光部７を図３に示すポップアップ位置から図４に示すようなポップダウン位置へ移動させることができる。
【００３７】
図４に示すポップダウン状態では、スライドレバー部材１が前進してリンクレバー部材１３を時計回転方向に押しており、このリンクレバー部材１３に取り付けられた第二バネ部材１４が第二シャフト部材１７を中心にリンク部材１０を時計回転方向に押している。それで、リンク部材１０が第一シャフト部材９を介してストロボ発光部７を押し下げるので、ストロボ発光部７は摺動軸１１を中心に反時計方向へ回転して、ポップダウンした状態を維持する。
【００３８】
その後、撮影レンズ鏡筒６が繰り出し方向に移動すると、スライドレバー部材１が光軸方向に後退してリンクレバー部材１３の作動が解除される。これによって、第一バネ部材８の付勢によって該ストロボ発光部７を図４のポップダウン位置から図３のポップアップ位置へ移動させることができる。即ち、スライドレバー部材１が後退すると、リンクレバー部材１３が第二バネ部材１４のバネ力で回転する。その結果、リンクレバー部材１３のストッパーがリンク部材１０の受け面に当たり、それ以上、リンクレバー部材１３がリンク部材１０に対して回転しない状態に係止する。さらにスライドレバー部材１が後退すると、その係止状態を維持したまま、第一バネ部材８のバネ力によってリンク部材１０がストロボ発光部７に対して回転するので、ストロボ発光部７全体が摺動軸１１とガイド溝１２ａ、１２ｂによって案内され、ポップアップ位置に至る。
【００３９】
また、ストロボ発光部７がポップアップ状態／ポップダウン状態のいずれであっても、スライドレバー部材１の位置ずれに対して、ある程度の誤差を見込むように設計されている。
【００４０】
即ち、図４に示すポップダウン状態では、スライドレバー部材１がカム溝３ａ、３ｂにより光軸方向前方へ移動している。つまり、スライドレバー部材１は、リンクレバー部材１３がストロボ発光部７をポップアップ位置からポップダウン位置へ移動させるのに必要な移動量より所定量多く、光軸方向の前方へ移動する。このとき、第一バネ部材８と第二バネ部材１４のバネバランスにより、ストロボ発光部７は閉じ側に付勢されている。そして、ストロボ発光部７のポップダウン位置は、スライドレバー部材１の位置が多少ばらついても、前記バネバランス（バネ吸収機構）とメカ的係止部材で決められている。
【００４１】
また、図３に示すポップアップ状態では、スライドレバー部材１がカム溝３ａ、３ｂにより方向の後方へ移動している。つまり、スライドレバー部材１は、リンクレバー部材１３の作動を解除させてストロボ発光部７をポップアップ位置へ移動させるのに必要な移動量より所定量多く、光軸方向の後方へ移動する。このとき、ストロボポップアップ機構３００としては力が解放され、ストロボ発光部７のポップアップ位置は、第一バネ部材８と第二バネ部材１４のバネバランス（バネ吸収機構）とメカ的係止部材で決定されている。
【００４２】
一方、撮影レンズ鏡筒６が移動する度にドライブリング部材３が回転し、それに伴ってカム溝とカムフォロワ部材が接触しながら動作することになるが、繰返しカメラを使用すると、この両者の接触する部分が磨耗してくる。これによって、スライドレバー部材１の位置ずれが発生する。
【００４３】
この問題に対して、本実施の形態では、次のように対処している。図７は、スライドレバー部材１とドライブリング部材３の接触部の拡大図である。
【００４４】
本実施の形態では、最初にカムフォロワ部材１ａとカム溝３ａが接触することでスライドレバー部材１の位置を制御している。このとき、図７に示すように、カムフォロワ部材１ｂとカム溝３ｂはクリアランスが空いた状態になっている。この状態で撮影レンズ鏡筒６を繰返し動作させることで、カムフォロワ部材１ａとカム溝３ａが接触する部分が磨耗し、スライドレバー部材１が光軸方向後方へずれていくことになる。
【００４５】
そして、スライドレバー部材１がずれた状態になったとき、第二カムフォロワ部材１ｂと第二カム溝３ｂとが接触を開始する。このように、最初は１つのカムフォロワ部材１ａがカム溝３ａに当接し、該カムフォロワ部材１ａまたはカム溝３ａが磨耗することで、残りの第二カムフォロワ部材１ｂと第二カム溝３ｂが順次当接する。
【００４６】
このときは、第一カムフォロワ部材１ａと第一カム溝３ａ、及び第二カムフォロワ部材１ｂと第二カム溝３ｂの両方で、スライドレバー部材１のスラスト位置が決定される。この状態では、更なる磨耗は抑制され、スライドレバー部材１の位置ずれは発生しづらくなる。
【００４７】
このとき、スライドレバー部材１の位置が微小に変化するが、前述するようにストロボ発光部７のポップアップ状態及びポップダウン状態のいずれにおいても、スライドレバー部材１の位置づれに対して、ある程度の誤差を見込むように設計されている。即ち、スライドレバー部材１のずれ量をストロボポップアップ機構３００のバネ吸収機構により吸収する。そのため、ストロボ発光部７のポップアップ位置及びポップダウン位置については影響を受けない。
【００４８】
なお、本実施の形態では、カムフォロワ部材及びカム溝を２対で構成したが、場所さえ許容できれば３対以上で構成しても良く、この場合では磨耗に対して更に強度を増すことになる。
【００４９】
以上の構成を採ることで、カメラを繰返し動作してもストロボ発光部７のポップアップ位置及びポップダウン位置が変動せず、ストロボ発光部７を適切な位置に移動させることができる。
【００５０】
＜本実施の形態におけるストロボ機構の利点＞
本実施の形態によれば、第一カム溝３ａ及び第一カムフォロワ部材１ａがカメラの繰返し動作により磨耗した場合、次に第二カム溝３ｂと第二カムフォロワ部材１ｂが当接するように構成した。これにより、カム溝とカムフォロワ部材の接触部分の磨耗の進行を遅らせることができる。さらに、前記磨耗によってスライドレバー部材１のストロークが変化することを抑制することができるので、スライドレバー部材１の極端な位置ずれを防止することができる。
【００５１】
また、前記磨耗で位置ずれしたスライドレバー部材１のずれ量は、微小であっても、ストロボポップアップ機構３００のバネ吸収機構により吸収するようにしたので、ストロボ発光部７を適切な位置に移動させることができる。
【００５２】
＜カメラの構成及び動作＞
次に、上述した本実施の形態のストロボポップアップ機構３００を搭載したデジタルカメラの構成について、図８〜図１１を参照して説明する。
【００５３】
図８は、本実施の形態におけるストロボポップアップ機構３００を有するデジタルカメラの電源オフ状態の斜視図であり、図９は、該デジタルカメラの電源オン状態の斜視図である。本実施の形態で示すデジタルカメラは、撮影倍率を変更できるズーム機構を有するカメラであり、デジタルカメラに備えられた撮影レンズ鏡筒に連動してストロボポップアップ機構３００が動作する。
【００５４】
図８及び図９に示すように、本実施の形態のデジタルカメラの正面には、測光測距を行う場合の光源の補助を行う補助光２１６、被写体の構図を決めるファインダ２１７、ストロボ発光部７、及び撮影レンズ鏡筒６が構成されている。カメラ上面には、レリーズボタン２１３、ズーム切換えスイッチ２１４、及び電源切換えボタン２１５が配置されている。また、図示はしないが、カメラ背面には、機能切換えを行うための操作ボタンが配置されると共に、ＬＣＤより成るディスプレイ、ファインダ接眼部などが配置されている。
【００５５】
図１０は、本実施の形態におけるデジタルカメラの要部の電気的な構成を示すブロック図である。
【００５６】
このデジタルカメラの制御部はＣＰＵ２４６、ＲＯＭ２４５、ＲＡＭ２４７で構成され、バス２４４を介して、レリーズボタン２１３、操作ボタン部２２１、ディスプレイ２２０、メモリ２４０、及びメモリカードドライブ２４２等の各種構成要素が接続されている。バス２４４を介して制御系と接続する駆動回路２４３には、ズームモータ駆動部５、フォーカスモータ駆動部２３１、シャッタ駆動部２３２、絞り駆動部２３５、ＣＣＤやＣＭＯＳ等の撮像素子２３７、及びストロボ発光部７が接続されている。そして、制御系からの信号により各々の駆動を制御することになる。
【００５７】
ＲＯＭ２４５には上述の各機能構成要素を制御するプログラムが記憶されている。ＲＡＭ４７には各制御プログラムに必要なデータが記憶されている。
【００５８】
以上のように、デジタルカメラは構成されているが、使用者が電源切換えボタン２１５を操作することで電源をオフからオンにすると、ＣＰＵ２４６はＲＯＭ２４５から必要な制御プログラムを読み出して初期動作を開始する。つまり、撮影レンズ鏡筒６を所定の撮影可能領域に移動させ、撮影機能を立ち上げてカメラを撮影スタンバイ状態にする。
【００５９】
撮影を行うためにレリーズボタン２１３を押すと、撮像素子２３７により被写体の明るさを検知し、その測光値に基づき絞り値やシャッタスピード、またストロボ発光部７を発光するかどうかを判断する。次に測距を行い、被写体との距離を測定してフォーカスモータ駆動部３１を駆動することにより所定のフォーカス位置へフォーカス部材２３０を移動させる。
【００６０】
次にシャッタ２３３の開閉を行い、所望の画像を撮像素子２３７に取り込む。撮像素子２３７には、露光制御値に基づいて入射した光の光量に応じた電荷が蓄積され、その電荷が画像信号となり、アナログ信号処理部２３６へと出力される。アナログ信号処理部２３６では、取り込まれた画像データにアナログ処理を施し、Ａ／Ｄ変換部２３８に出力する。Ａ／Ｄ変換部２３８では取り込まれたアナログデータをデジタルデータに変換する。このデジタルデータをデジタル信号処理部２３９に出力し、ここでデジタルデータの処理を行う。最終的にデジタルデータはメモリ２４０に記憶されることになる。メモリ２４０に記憶された画像データやメモリカードドライブ２４２に記憶されている画像データを圧縮伸張部２４１によって伸張処理を行い、その画像データをバス２４４を介してディスプレイ２２０に表示させることができる。
【００６１】
また、ズーム切換えスイッチ２１４を操作することにより、駆動回路２４３を介してズームモータ駆動部５を制御して撮影レンズ鏡筒６を光軸方向に移動させることができるようになっている。
【００６２】
次に、デジタルカメラの電源オンから撮影終了までフローについて、図１１を参照して説明する。
【００６３】
図１１は、本実施の形態におけるデジタルカメラの電源オンから撮影終了までの処理を示すフローチャートである。
【００６４】
まず使用者が撮影装置の電源をオンすると（ステップＳ１０１）、ＣＰＵ２４６はズームモータ駆動部５に指令を送り、鏡筒駆動モータをＣＷ回転させる（ステップＳ１０２）。その後、所定の動作を行い、撮影レンズ鏡筒６が撮影位置に移動したことが確認できたら（ステップＳ１０３）、停止させる。このとき、図８の状態から図９の状態へレンズ鏡筒の状態は変化する。
【００６５】
次に使用者がレリーズボタン１３をオンすると（ステップＳ１０４）、測光を行い、被写体の輝度情報を得る（ステップＳ１０５）。得られた輝度情報が既定の輝度より高輝度の場合（ステップＳ１０６）、絞り２３４を光軸内に侵入させ、入射光量を変化させる（ステップＳ１０７）。得られた輝度情報が既定の輝度より低輝度の場合（ステップＳ１０６）、絞り２３４の動作は行わず光軸より退避した状態にしておく。
【００６６】
その後、フォーカス部材２３０を作動させて、被写体のピントが合う位置へ移動させ（ステップＳ１０８）、そこで画像の取り込みを開始する（ステップＳ１０９）。次にシャッタ２３３を開状態から閉状態へ移動させ（ステップＳ１１０）、入射光量を遮り、画像取り込みは終了となる（ステップＳ１１１）。その後、絞り３４を光軸から退避させ（ステップＳ１１２）、フォーカス部材２３０を初期位置に移動させて動作終了となる（ステップＳ１１３）。
【符号の説明】
【００６７】
１  スライドレバー部材
１ａ  カムフォロワ部材
１ｂ  カムフォロワ部材
２  ガイド軸
３  ドライブリング部材
３ａ  カム溝
３ｂ  カム溝
５  ズームモータ駆動部
６  撮影レンズ鏡筒
７  ストロボ発光部
８  第一バネ部材
９  第一シャフト部材
１０  リンク部材
１１  摺動軸
１２  ストロボベース部材
１３  リンクレバー部材
１７  第二シャフト部材
１９  撮影装置（デジタルカメラ）
【図１】
2010175630.tif 000003
【図２】
2010175630.tif 000004
【図３】
2010175630.tif 000005
【図４】
2010175630.tif 000006
【図５】
2010175630.tif 000007
【図６】
2010175630.tif 000008
【図７】
2010175630.tif 000009
【図８】
2010175630.tif 000010
【図９】
2010175630.tif 000011
【図１０】
2010175630.tif 000012
【図１１】
2010175630.tif 000013